(57)【要約】【課題】表示部奥行き寸法を短くして小型軽量化を行うためヒンジ回転中心軸を表示部の厚み内から、情報処理装置本体側にずらせる際、ヒンジユニットを、後面キャビネットに固定した後でも、ケーブル結線、キャビネット嵌合作業が可能な情報処理装置のヒンジ取付け構造を提供することを目的とする。【解決手段】ヒンジユニット６の表示部側アーム８を、後面キャビネット４に固定する際、表示部側アーム８の先端近傍に設けられた回転軸１０により回動可能に固定し、表示面側キャビネット３を、後面キャビネット４に嵌合させる場合には、ヒンジユニット６の回転中心軸７を一時、前述回転軸１０を中心に回動させた状態で、ヒンジユニット６を表示面側キャビネット３のヒンジユニットカバー部３ａに収納し、ケーブル結線、キャビネット嵌合作業を行う。【選択図】図３
2005165710.tif 000002
【特許請求の範囲】
【請求項１】
ヒンジを介して情報処理装置本体に開閉可能に取り付けられる表示部において、前記表示部を箱体状に構成する表示面側キャビネットおよび後面キャビネットと、前記表示部が情報処理装置本体に対して開閉可能となるためのヒンジ回転軸と、一端を前記ヒンジ回転軸に固定されたヒンジアーム部とを有するヒンジユニットとを備え、前記ヒンジアーム部は、他の一端を前記後面キャビネットに回動可能に取り付けられることを特徴とする情報処理装置のヒンジ取付け構造。
【請求項２】
ヒンジアーム部が表示面側キャビネットまたは後面キャビネットに回動可能に取り付けられる回動支点は、表示部の表示面に対し内側に配置され、ヒンジ回転軸は前記表示面に対し外側に配置されることを特徴とする請求項１記載の情報処理装置のヒンジ取付け構造。
【請求項３】
表示面側キャビネットまたは後面キャビネットは金属製であることを特徴とする請求項１または請求項２記載の情報処理装置のヒンジ取付け構造。
【発明の詳細な説明】
【技術分野】
【０００１】
本発明は情報処理装置本体に対してヒンジによって開閉可能となる表示部におけるヒンジ取付け構造に関するものである。
【背景技術】
【０００２】
従来、ノート型パーソナルコンピュータなどの情報処理装置において、液晶表示装置などが内蔵される表示部は、通常、ヒンジによって情報処理装置本体に開閉可能に取り付けられていた。
【０００３】
図４は従来の情報処理装置の表示部を開いた状態の斜視図、図５は表示部を閉じた状態の斜視図、図６は表示部を側面方向から見たＣ−Ｃ断面図である。図において、２１は情報処理装置本体、２２は表示部で、表示面側キャビネット２３と後面キャビネット２４によって箱体状に形成され、内部に液晶表示装置２５が取り付けられている。２６はヒンジユニットで、回転中心軸２７に表示部側アーム２８と、本体側アーム２９が相互に回転するようにそれぞれの一端が取り付けられている。表示部側アーム２８と本体側アーム２９のそれぞれの他の一端の近傍には、それぞれ表示部２２の後面キャビネット２４、情報処理装置の本体キャビネット２１ａにネジ（図示せず）によって取り付けるための孔２８ａと２９ａが設けられている。
【０００４】
次に、組み立て手順について説明する。まず、後面キャビネット２４に液晶表示装置２５および液晶表示装置２５のバックライト用インバータ基板（図示せず）などが取り付けられ、次に、ヒンジユニット２６が後面キャビネット２４に載置され、液晶表示装置２５やインバータ基板からのケーブル（図示せず）をヒンジユニット２６の近傍まで配線処理する。その状態で表示面側キャビネット２３が後面キャビネット２４に取り付けられる。最後に、表示部側アーム２８の孔２８ａにネジを挿入して表示面側キャビネット２３を挟んで後面キャビネット２４に取り付けられる。以上の段階で表示部２２が完成する。そして、表示部２２のヒンジユニット２６の近傍から引き出される液晶表示装置２５やインバータ基板からのケーブルを、情報処理装置本体２１内部のコネクタ（図示せず）に接続した後、表示部２２は、ヒンジユニット２６の本体側アーム２９の孔２９ａにネジを挿入して本体キャビネット２１ａに取り付けられ、情報処理装置本体２１と表示部２２が合体する。
【０００５】
このような従来の情報処理装置において、ヒンジの回転中心軸は、表示部の端近傍、かつ表示部の厚みＬ１内に配置されることが多かった。しかしながら、近年情報処理装置の小型軽量化の流れから、表示部奥行き寸法Ｌ２を短くし、表示面の面積と表示部キャビネットの投影表面積の差を小さくするために、ヒンジの回転中心軸位置を表示部の厚みＬ１内から、情報処理装置本体側にずらせる必要が出てきた。図７、図８にそのような情報処理装置の一例を示す。
【０００６】
図７は、従来のヒンジの回転中心軸位置をずらせたノートパソコンの表示部を閉じた状態を示す斜視図、図８は、表示部を側面方向から見た断面図で、図８（ａ）はＡ−Ａ断面、図８（ｂ）はＢ−Ｂ断面である。図において、３１はノートパソコン本体、３２は表示部で、３３は表示面側キャビネット、３４は後面キャビネット、３５は液晶表示装置、３６はヒンジユニット、３７はヒンジユニット３６の回転中心軸、３８は表示部側アーム、３９は本体側アーム、３８ａと３９ａは孔である。それぞれの構成、機能、組み立て方法は前述の従来例と同じであるが、組み立て方法においては、後面キャビネット３４へのヒンジユニット３６の載置は、液晶表示装置３５の取り付け後に行なうが、固定することはできない。この理由は、ヒンジユニット３６を固定した場合、図８（ｂ）に示すように、ヒンジユニット３６の回転中心軸３７が表示面側キャビネット３３と重なっているため、ヒンジユニット３６が固定されていると表示面側キャビネット３３のヒンジユニットカバー部３３ａにヒンジユニット３６を収納するように組み立てられなくなるためである。
【０００７】
以上のように構成された情報処理装置のヒンジ取付け構造では、表示部の後面キャビネットにヒンジユニットを載置するのみで固定せず、液晶表示装置やインバータ基板からのケーブルを配線処理した後、表示面側キャビネットを後面キャビネットに嵌合組み立てする時に同時にネジ止め固定することになる。
【０００８】
なお、ヒンジ取付け構造に関する特許文献１としては下記のものがある。
【特許文献１】特開平６−２０２７５８号公報
【発明の開示】
【発明が解決しようとする課題】
【０００９】
このような上記従来の情報処理装置においては、下記に挙げる課題があった。
【００１０】
（１）ヒンジユニットを先に載置し、固定しない状態でケーブル結線・キャビネット嵌合等の作業をするため、ヒンジユニットが傾いたり、動いたりして、固定位置精度がでない。また、作業が安定せず、時間がかかってしまう。
【００１１】
（２）表示面側キャビネットにヒンジユニットを固定すれば、従来例の組み立てられないという問題は解決し、上記（１）の問題も生じないが、表示面側キャビネットは、液晶表示装置の表示面積を確保するため、中央部が大きく開口した形状となっており、強度を確保するのが難しい。あるいは、後面キャビネットには外力から保護するためアルミやマグネシウムなどの金属材料が使用されるが、表示面側キャビネットは、多くの場合、重量・コストの観点から、樹脂等で構成される。樹脂等では、温度変化による熱膨張・収縮でヒンジを固定しているネジが緩んでしまうといったことも考えられる。
【００１２】
（３）表示面側キャビネットに、ヒンジユニットを仮固定するという方法も考えられるが、仮固定するための、ネジあるいは、両面テープ等の部品・組み立て工数が増えてしまう。また、液晶表示装置は（２）の問題のために後面キャビネットの方に取り付けられる。この場合、表示装置やインバータ基板と情報処理装置本体内部のコネクタとを接続するケーブルをヒンジユニットの近傍に配線する作業が難しい。
【００１３】
本発明は、表示部奥行き寸法を短くして小型軽量化を行うためヒンジ回転中心軸を表示部の厚み内から、情報処理装置本体側にずらせる際、ヒンジユニットを、後面キャビネットに固定した後でも、ケーブル結線、キャビネット嵌合作業が可能な情報処理装置のヒンジ取付け構造を提供することを目的とする。
【課題を解決するための手段】
【００１４】
上記課題を解決するために、本発明の情報処理装置のヒンジ取付け構造は、ヒンジを介して情報処理装置本体に開閉可能に取り付けられる表示部において、表示部と、表示部を箱体状に構成する表示面側キャビネットおよび後面キャビネットと、表示部が情報処理装置本体に対して開閉可能となるためのヒンジ回転軸と、一端をヒンジ回転軸に固定されたヒンジアーム部とを有するヒンジユニットとを備え、ヒンジアーム部は、他の一端を後面キャビネットに設けられた支点に回動可能に取り付けられるヒンジ取付け構造としたものである。
【００１５】
これにより、ヒンジユニットのヒンジアーム部の一端を、後面キャビネットに固定する際、回動可能にすることができ、表示面側キャビネットを、後面キャビネットに装着させる場合には、ヒンジユニットの回転中心軸を一時、前述支点を中心に回動させた状態で、ケーブル結線、キャビネット嵌合作業を可能とすることができる。
【発明の効果】
【００１６】
以上のように本発明によれば、後面キャビネットに対して、ヒンジユニットの回転中心軸を回動可能に固定しているので、回転中心軸を一時的に回動させ、キャビネットの嵌合作業を実施することが出来るヒンジ取付け構造が得られ、ヒンジ回転中心軸を表示部の厚み内から、情報処理装置本体側にずらせることにより、小型軽量化を図った情報処理装置のケーブルの結線、キャビネット嵌合作業が容易に可能になるという有利な効果が得られる。
【発明を実施するための最良の形態】
【００１７】
本発明の請求項１に記載の発明は、ヒンジを介して情報処理装置本体に開閉可能に取り付けられる表示部において、表示部と、前記表示部を箱体状に構成する表示面側キャビネットおよび後面キャビネットと、前記表示部が開閉可能となるためのヒンジ回転軸と、一端を前記ヒンジ回転軸に固定されたヒンジアーム部とを有するヒンジユニットとを備え、前記ヒンジアーム部は、他の一端を前記後面キャビネットに設けられた支点に回動可能に取り付けられることを特徴とする情報処理装置のヒンジ取付け構造としたものであり、ヒンジユニットのヒンジアーム部が起動可能に固定された後部キャビネットの支点を中心に回動した状態で、ケーブルの結線、キャビネット嵌合作業が容易に可能になるという作用を有する。
【００１８】
請求項２に記載の発明は、請求項１記載の情報処理装置のヒンジ取付け構造において、ヒンジアーム部が表示面側キャビネットまたは後面キャビネットに回動可能に取り付けられる回動支点は、表示部の表示面に対し内側に配置され、ヒンジ回転軸は前記表示面に対し外側に配置されることを特徴とするものであり、表示部奥行き寸法を短くし、表示面の面積と表示部キャビネットの投影表面積の差を小さくすることを可能にし、情報処理装置を小型軽量化できるという作用を有する。
【００１９】
以下に、本発明の実施の形態を図１から図３を用いて説明する。
【００２０】
（実施の形態１）
図１は、本発明の一実施の形態の情報処理装置のヒンジ取付け構造におけるヒンジ回転中心位置を示す斜視図、図２は、表示部を側面方向から見た断面図、図３は、組み立て途中の表示部を側面方向から見た断面図である。図において、１はＣＰＵなどの実装部品が実装されたプリント配線基板（図示せず）、入力を行うための入力装置であるキーボードやポインティングデバイスが収納されている情報処理装置本体、２は表示部である。表示部２は表示面側キャビネット３と後面キャビネット４によって箱体状に形成され、内部に液晶表示装置５が取り付けられている。後面キャビネット４は内蔵する液晶表示装置５などを外力から保護するためのキャビネットで、強度を要求されるため、多くの場合、金属（マグネシウム（Ｍｇ）・アルミニウム（Ａｌ）・チタン（Ｔｉ）等）や高剛性樹脂などの高強度材料で構成されている。６は表示部２を情報処理装置本体１に対して開閉可能に取り付けるためのヒンジユニットである。ヒンジユニット６には、回転中心軸７に表示部側アーム８と本体側アーム９が相互に回転するようにそれぞれの一端が取り付けられている。表示部側アーム８の他の一端近傍には、表示部２の後面キャビネット４と係合する回転軸１０、また、本体側アーム９には、情報処理装置の本体キャビネット１ａにネジ（図示せず）によって取り付けるための孔９ａが設けられている。
【００２１】
以上のように構成された本発明の情報処理装置のヒンジ取付け構造について、組み立て手順を説明する。
【００２２】
まず、後面キャビネット４に、ヒンジユニット６の表示部側アーム８の先端を回動可能になるように、ネジあるいは、ピン等の回転軸１０で側面から固定する。次に、液晶表示装置５および液晶表示装置５のバックライト用インバータ基板（図示せず）を後面キャビネット４へ固定配置する。この際、情報処理装置本体１とインバータ基板からのケーブルと、情報処理装置本体１と液晶表示装置５部を接続するための信号ケーブル（ともに図示せず）があり、共にヒンジユニット６の近傍まで配線処理する。次に、表示面側キャビネット３を嵌合して組み立てを行うが、このときに、後面キャビネット４に対して、ヒンジユニット６の表示部側アーム８先端近傍が回転軸１０により回動可能に固定しているので、回転軸１０を中心にヒンジユニット６の回転中心軸７を一時的に回動させることが出来る構造となっている。これにより、回転中心軸７を一時的に回動させ、表示面側キャビネット３のヒンジユニットカバー部３ａにヒンジユニット６を収納した状態で、回転中心軸７を元の位置に回動し、表示面側キャビネット３と後面キャビネット４との嵌合作業を実施することが出来る。
【００２３】
なお、本実施の形態では、ヒンジ回転中心軸を表示部の厚み内から、情報処理装置本体側にずらせた情報処理装置のヒンジ取付け構造について説明したが、従来のヒンジ回転中心軸が表示部の厚み内にあるものについても、摘要可能であることは言うまでもない。
【産業上の利用可能性】
【００２４】
本発明にかかる情報処理装置のヒンジ取付け構造は、後面キャビネットに対して、ヒンジユニットの回転中心軸を回動可能に固定しているので、回転中心軸を一時的に回動させ、キャビネットの嵌合作業を実施することが出来るヒンジ取付け構造が得られ、ヒンジ回転中心軸を表示部の厚み内から、情報処理装置本体側にずらせることにより、小型軽量化を図った情報処理装置のケーブルの結線、キャビネット嵌合作業が容易に可能になるという有利な効果を有し、情報処理装置本体に対してヒンジによって開閉可能となる表示部におけるヒンジ取付け構造として有用である。
【図面の簡単な説明】
【００２５】
【図１】本発明の一実施の形態の情報処理装置のヒンジ取付け構造におけるヒンジ回転中心位置を示す斜視図
【図２】本発明の表示部を側面方向から見た断面図
【図３】本発明の組み立て途中の表示部を側面方向から見た断面図
【図４】従来の情報処理装置の表示部を開いた状態の斜視図
【図５】従来の情報処理装置の表示部を閉じた状態の斜視図
【図６】従来の表示部を側面方向から見た断面図
【図７】従来のヒンジの回転中心軸位置をずらせたノートパソコンの表示部を閉じた状態を示す斜視図
【図８】従来の表示部を側面方向から見た断面図
【符号の説明】
【００２６】
１  情報処理装置本体
２  表示部
３  表示面側キャビネット
３ａ  ヒンジユニットカバー部
４  後面キャビネット
５  液晶表示装置
６  ヒンジユニット
７  回転中心軸
８  表示部側アーム
８ａ、９ａ  孔
９  本体側アーム
１０  回転軸
【図１】
2005165710.tif 000003
【図２】
2005165710.tif 000004
【図３】
2005165710.tif 000005
【図４】
2005165710.tif 000006
【図５】
2005165710.tif 000007
【図６】
2005165710.tif 000008
【図７】
2005165710.tif 000009
【図８】
2005165710.tif 000010